(57)【要約】  【課題】  クリック機能を保持しつつより少ない部品数で簡易な構成とし得る移動体繰出容器を提供する。  【解決手段】  雌螺子１２を有する容器本体１と、雌螺子１２に螺合する雄螺子２１ａを有し雄螺子２１ａを雌螺子１２に螺合させて容器本体１に対し軸線周りで回転可能に連結された棒状の移動体２とを備え、容器本体１及び移動体２を相対回転させて移動体２を繰り出す移動体繰出容器で、移動体２外部から外側に突出しかつ軸線方向に延びる第一のクリック歯部３１が容器本体１の側壁の内周から内側に突出する第二のクリック歯部３２に係合して、容器本体１及び移動体２の相対回転に同期してクリック感を付与するクリック機構３を有し、第一のクリック歯部３１は移動体２が容器本体１上のどの位置でも第二のクリック歯部３２に係合する長さ寸法を有している。【選択図】  図１
2006149946.tif 000002
【特許請求の範囲】
【請求項１】
内部に雌螺子が形成された筒状の容器本体と、外部に前記雌螺子に螺合する雄螺子が形成され、この雄螺子を該雌螺子に螺合させて前記容器本体に対し軸線を中心として回転可能に連結された棒状の移動体とを備え、前記容器本体及び移動体を相対回転させて該移動体を繰り出す移動体繰出容器であって、
前記移動体の外部から外側に突出し、かつ、軸線方向に延びるように形成された第一のクリック歯部が、前記容器本体の側壁の内周から内側に突出して形成された第二のクリック歯部に係合することによって、該容器本体及び移動体の相対回転に同期してクリック感を付与するクリック機構を備えており、
前記第一のクリック歯部は、前記移動体が前記容器本体のいずれの位置においても前記第二のクリック歯部に係合できるよう該移動体の軸線方向の一定区間に形成されていることを特徴とする移動体繰出容器。
【請求項２】
前記クリック機構は、前記容器本体及び移動体の相対回転を一方向に規制することにより該移動体の進退を前進又は後退にのみ規制するラチェット機構を有していることを特徴とする請求項１に記載の移動体繰出装置。
【請求項３】
前記第一のクリック歯部は、外側に撓むように隣接領域が切り欠かれていることを特徴とする請求項１又は２に記載の移動体繰出容器。
【請求項４】
前記第二のクリック歯部は、外側に撓むように隣接領域が切り欠かれていることを特徴とする請求項１又は２に記載の移動体繰出容器。
【請求項５】
前記容器本体は、外筒と、この外筒内でこれに装着され、内部に前記雌螺子が形成された内筒とからなり、
前記第二のクリック歯部は、前記内筒の側壁に設けられており、この第二のクリック歯部の外側には、該第二のクリック歯部が外側に撓むことを可能とする空間が確保されていることを特徴とする請求項３に記載の移動体繰出容器。
【発明の詳細な説明】
【技術分野】
【０００１】
本発明は、例えば液状の化粧料や練り状の化粧料を収容するとともに収容された液状の化粧料等を適宜押し出して使用する化粧料押出容器に用いられる移動体繰出容器に関する。
【背景技術】
【０００２】
従来の移動体繰出容器としては、例えば内部に雌螺子が形成された筒状の移動体と、移動体を回転不能・摺動可能に支持する内部を有する筒状の容器本体と、容器本体の後端部に対して軸線を中心として回転可能に連結され、移動体の雌螺子と螺合する雄螺子が外部に形成された棒状部及びこれの軸線を中心としての回転操作を行うための操作部を有する操作体とを備え、容器本体と操作体とを相対回転させて移動体を繰り出す移動体繰出容器であって、操作体の外部に周方向に延びる弾性爪として形成した第二のクリック歯部と、この第二のクリック歯部に対応する容器本体の内部に操作体の一方向の回転に伴い第二のクリック歯部が順次噛み合うように形成した他方のクリック歯部とからなり、容器本体及び移動体の相対回転に同期してクリック感を付与するクリック機構を備えたものが開示されている（例えば、特許文献１参照）。
【特許文献１】特開平７−２６５１２３号公報
【発明の開示】
【発明が解決しようとする課題】
【０００３】
ところで、近年の製品の携帯性や使い勝手を重視する消費者ニーズに即応する観点から、従来の移動体繰出容器に対しては、移動体の前進具合又は戻し具合を使用者が容易に感知し得るようにして移動体の出し過ぎや戻し過ぎを防止するクリック機能を保持しながら、より少ない部品数による簡易な構成からなるものとして、製品のコンパクト化を図ることが求められている。
また、近年の製品の販売手法の専門化傾向に即応する観点から、従来の移動体繰出容器に対しては、試用見本、販売促進用見本、色調確認用見本等として利用し得ること、すなわち、より少ない部品数による簡易な構成からなる、クリック機能を有するコンパクトな試用見本等を普及させることが要請されている。
そこで、本発明は、かかるクリック機能を保持しながら、より少ない部品数により簡易な構成とすることができる移動体繰出容器を提供することにより、製品の携帯性や使い勝手を重視する消費者ニーズ及び製品の販売手法の専門化傾向に機動的に対応することを目的とする。
【課題を解決するための手段】
【０００４】
上記課題を解決するため、本発明に係る移動体繰出容器は、内部に雌螺子が形成された筒状の容器本体と、外部に雌螺子に螺合する雄螺子が形成され、この雄螺子を雌螺子に螺合させて容器本体に対し軸線を中心として回転可能に連結された棒状の移動体とを備え、容器本体及び移動体を相対回転させて移動体を繰り出す移動体繰出容器であって、移動体の外部から外側に突出し、かつ、軸線方向に延びるように形成された第一のクリック歯部が、容器本体の側壁の内周から内側に突出して形成された第二のクリック歯部に係合することによって、容器本体及び移動体の相対回転に同期してクリック感を付与するクリック機構を備えており、第一のクリック歯部は、移動体が容器本体のいずれの位置においても第二のクリック歯部に係合できるよう移動体の軸線方向の一定区間に形成されていることを特徴としている。
ここで、雄螺子には、外側表面に間欠的に配される突起群又は外側表面に螺旋状かつ間欠的に配される突起群であってねじ山と同様な働きをするものが形成された移動体の部分を含む。また、雌螺子には、内側表面に間欠的に配される突起群又は内側表面に螺旋状かつ間欠的に配される突起群であってねじ山と同様な働きをするものが形成された容器本体の部分を含む。
このような移動体繰出容器によれば、クリック機構の構成要素の一方たる第一のクリック歯部が移動体に形成され、他方たる第二のクリック歯部が容器本体の側壁に形成され、しかも第一のクリック歯部が移動体が容器本体におけるいずれの位置に位置していても、つまり、移動体及び容器本体の連結状態の如何に拘わらず第一のクリック歯部が第二のクリック歯部に係合する長さ寸法を有しているので、使用者が移動体の前進具合又は戻し具合を感知することを可能とするクリック機能を保持しながら、より少ない部品数により簡易な構成とすることが可能となり、ひいては製品のコンパクト化及び試用見本等の普及を図ることが可能となる。
したがって、これによれば、製品の携帯性や使い勝手を重視する消費者ニーズ及び製品の販売手法の専門化傾向に機動的に対応することが可能となる。
【０００５】
このような技術的手段において、製品の付加価値を相当に高めることとして、製品の携帯性や使い勝手を重視する消費者ニーズにさらに適切に対応しようとする観点からすれば、クリック機構は、容器本体及び移動体の相対回転を一方向に規制することにより移動体の進退を前進又は後退にのみ規制するラチェット機構を有していることが好ましい。
【０００６】
また、第一のクリック歯部及び第二のクリック歯部の係合及び係合の解除の繰り返しが円滑に行われるようにして、十分なクリック機能を確実に担保しようとする観点からすれば、第一のクリック歯部は、外側に撓むように隣接領域が切り欠かれていることが好ましく、又は、第二のクリック歯部は、外側に撓むように隣接領域が切り欠かれていることが好ましい。
【０００７】
さらに、容器本体を雌螺子を形成しない外筒及び雌螺子を形成し第二のクリック歯部を有する内筒で構成するようにして、外筒内に収容された液状物を移動体の先端に設けたピストンによって押し出すタイプの液状物押出容器に特に適切な態様とする観点からすれば、容器本体は、外筒と、この外筒内でこれに装着され、内部に雌螺子が形成された内筒とからなり、第二のクリック歯部は、内筒の側壁に設けられており、この第二のクリック歯部の外側には、第二のクリック歯部が外側に撓むことを可能とする空間が確保されていることが好ましい。
【発明の効果】
【０００８】
本発明に係る移動体繰出容器によれば、製品の携帯性や使い勝手を重視する消費者ニーズ及び製品の販売手法の専門化傾向に機動的に対応することとなる。
【発明を実施するための最良の形態】
【０００９】
以下、添付図面に基づいて本発明の実施の形態を詳細に説明する。
【００１０】
図１は本発明の一実施の形態に係る移動体繰出容器の全体構成を示す縦断面図、図２は同移動体繰出容器における容器本体（外筒）を示す縦断面図、図３は同移動体繰出容器における容器本体（内筒）を示す縦断面図、図４は同移動体繰出容器におけるピストン及びピストン軸を示す縦断面図、図５は同移動体繰出容器の作用（最大繰出状態）を説明する縦断面図、図６は同移動体繰出容器における第一のクリック歯部を示す斜視図、図７は同移動体繰出容器における第二のクリック歯部を示す斜視図、図８は同移動体繰出容器における第二のクリック歯部を示す側面図、図９は同移動体繰出容器における第二のクリック歯部を示す側面拡大図、図１０は同移動体繰出容器の作用を説明する横断面図である。
【００１１】
本実施の形態において、移動体繰出容器は、図１に示すように、液状物たる液状化粧料１０を収容するとともに収容された液状化粧料１０を適宜押し出して使用する液状化粧料押出容器である。
【００１２】
そして、この移動体繰出容器は、同図に示すように、容器本体１と、移動体２と、クリック機構３とを備えたものとして構成されている。
【００１３】
以下、これらの各構成要素についてさらに詳細に説明する。
【００１４】
（１）容器本体１
容器本体１は、図１に示すように、プラスチック（例えば透明なプラスチック）からなるものであり、中空筒状（例えば円筒状）に形成されている。そして、容器本体１は、図１及び図２に示すように、先端に軸線に対し傾斜する外側面及び内側面の各面形状を形成する先端壁部１１を有しており、この先端壁部１１に液状化粧料１０を容器本体１外に吐き出すための吐出孔１１ａ（例えば複数の吐出孔１１ａ）が設けられている。
【００１５】
なお、先端壁部１１は、例えば皮膚表面等の被塗布部に対する塗布に適合的である斜度に傾斜する外側面の面形状を形成している（これらの図参照）。
【００１６】
容器本体１は、図１に示すように、内部に雌螺子１２が形成されており、この雌螺子１２に後述する移動体２の雄螺子２１ａを螺合させることにより、移動体２をねじ込み動作によって軸線方向に繰り出すことを可能とするものである。
【００１７】
容器本体１は、図１〜図３に示すように、外筒１ａと、この外筒１ａ内でこれに装着され、内部に雌螺子１２が形成された内筒１ｂとからなっている。
【００１８】
具体的には、内筒１ｂは、その後端外部に形成される環状凹部４１及び環状凸部４２が外筒１ａの後端内部に形成される環状凸部５１及び環状凹部５２に係合するとともに、内筒１ｂの外部に軸線方向に形成された突条４３（例えば複数の突条）が外筒１ａの内部に軸線方向にローレット状に形成された溝５３（例えば複数の溝）に係合することにより、外筒１ａに対して軸線を中心として回転不能かつ軸線方向に移動不能に装着されており、その結果、外筒１ａ及び内筒１ｂは、一体的に固定されている。
【００１９】
本実施の形態において、外筒１ａは、図１及び図２に示すように、その先端に軸線に対し傾斜する外側面及び内側面の各面形状を形成する先端壁部１１を有しており、この先端壁部１１が吐出孔１１ａを有している。
【００２０】
ここで、先端壁部１１の吐出孔１１ａは、図示しないが、液状化粧料１０が漏出しないよう止栓によって閉塞されている。なお、止栓の代わりに、使用者が使用する直前に取り外しができる粘着剤が塗布されたシールを、液状化粧料１０の充填前に先端壁部１１の外側面に貼り付けて吐出孔１１ａを閉塞するようにしてもよい。
【００２１】
また、内筒１ｂには、図１及び図３に示すように、その側壁の内周から内側に突出するようにして第二のクリック歯部３２が形成されている。
【００２２】
このように内筒１ｂに第二のクリック歯部３２が形成されることを要求するのは、クリック機構３の構成要素の一方たる第二のクリック歯部３２を別個独立の部品により設けるのではなく容器本体１の一部として構成することにより、クリック機能を保持しながら、より少ない部品数による簡易な構成からなる移動体繰出容器とするためである。したがって、このような役割を果たすものであれば、本発明において外筒１ａ及び内筒１ｂからなる容器本体１の代わりに、先端壁部を有する一の筒状体としての容器本体、棒状化粧料用の容器本体その他の容器本体を用いても差し支えない。
具体的には、ポリエチレンテレフタレート（ＰＥＴ）やポリプロピレン（ＰＰ）又はポリシクロヘキシレンジメチルテレフタレート（ＰＣＴ）等のプラスチックからなる容器本体とすることが好ましい。
【００２３】
容器本体１は、図１に示すように、その内側に、移動体２の先端側部分を収容するための移動体収容部１３の前側に隣接して液状化粧料１０を収容するための液状化粧料収容部１４を有している。
【００２４】
すなわち、液状化粧料収容部１４又は移動体収容部１３は、移動体２がねじ込み動作によって繰り出されるのに伴い軸線方向での長さ寸法を変動させるものとして構成されている（図１参照）。
【００２５】
液状化粧料収容部１４は、同図に示すように、軸線に対し傾斜する先端壁部１１と、筒状（例えば円筒状）の側壁部と、液状化粧料１０を押し出しためのピストン２２とによって形成されている。
【００２６】
（２）移動体２
移動体２は、図１及び図４に示すように、プラスチック（例えば透明なプラスチック）からなるものであり、略棒状に形成されており、外部に雌螺子１２に螺合する雄螺子２１ａが形成されたものとして構成されている。
【００２７】
すなわち、移動体２は、この雄螺子２１ａを雌螺子１２に螺合させて容器本体１に対し軸線を中心として回転可能かつ軸線方向に移動可能に装着されたものとして構成されており、容器本体１内にねじ込む動作を繰り返すことによって軸線方向に繰り出されることが可能となっており、その結果、液状化粧料収容部１４に収容された液状化粧料１０を先端壁部１１の吐出孔１１ａを通じて容器本体１外に押し出すことが可能となっている（図５参照）。
【００２８】
このように移動体２に容器本体１内にねじ込まれることにより軸線方向に繰り出されることを要求するのは、移動体２の繰出動作をスリーブ等の別個独立の部品を設けて行う相対回転により実現するのではなく移動体２それ自体を直接容器本体１内にねじ込むことによって実現することにより、クリック機能を保持しながら、より少ない部品数による簡易な構成からなる移動体繰出容器とするためである。したがって、このような役割を果たすものであれば、本発明において移動体２の代わりに、棒状化粧料用の芯チャックその他の移動体を用いることが可能である。
具体的には、プラスチックやエラストマーなどからなる移動体とすることが好ましい。
【００２９】
具体的には、移動体２は、図１及び図４に示すように、外部に雌螺子１２をもつとともに後端側に軸線を中心としての回転操作を行うための操作部２１ｂを有するピストン軸２１と、ピストン軸２１の先端部に対し軸線を中心として回転可能に連結され、容器本体１の内周面に水密に接触しながら容器本体１内に摺動可能に挿嵌されたピストン２２であって先端に向けて先細りとなる釣り鐘形状を呈するものとからなっている。
【００３０】
本実施の形態において、これらの図に示すように、ピストン軸２１には、その外部から外側に突出し、かつ、軸線方向に延びるようにして第一のクリック歯部３１が形成されている。
【００３１】
なお、ピストン軸２１のうち先端領域には、ピストン２２の空間３２ａのうちの途中領域に設けられた環状凸部７１及び環状凹部７２に係合するための環状凹部６１及び環状凸部６２が設けられている。
【００３２】
このようにピストン軸２１に第一のクリック歯部３１が形成されることを要求するのは、クリック機構３の構成要素の他方たる第一のクリック歯部３１を別個独立の部品により設けるのではなく移動体２の一部として構成することにより、クリック機能を保持しながら、より少ない部品数による簡易な構成からなる移動体繰出容器とするためである。したがって、このような役割を果たすものであれば、本発明においてピストン軸２１及びピストン２２からなる移動体２の代わりに、ピストン２２に相当する頭部を有する一体物品としての移動体、一体物品としての又は芯チャック及び螺子棒からなる棒状化粧料用の移動体その他の移動体を用いてもよい。
【００３３】
一方、ピストン２２は、シリコンゴムその他の弾性体（例えば軟質弾性体）からなるものとして構成されている（図５参照）。
【００３４】
ここで、弾性体としては、シリコンゴム以外に、ニトルゴム（ＮＢＲ）、エチレンプロピレンゴム（ＥＰＲ）、ブチルゴム（ＩＩＲ）等の圧縮成形による熱硬化性素材や、ポリウレタン系エラストマー（ＴＰＵ）、ポリオレフィン系エラストマー（ＴＰＯ）、ポリエステル系エラストマー（ＴＰＥＥ）等の射出成形による熱可塑性エラストマー、また、低密度ポリエチレン（ＬＤＰＥ）、直鎖状低密度ポリエチレン（ＬＬＤＰＥ）等の射出成形による熱可塑性プラスチックから適宜選定することが可能である。
【００３５】
このようなピストン２２により、最大前進時において、先端壁部１１に押し当てられた際に、傾斜する内側面に追従して弾性変形することが可能となっている（図５参照）。
【００３６】
加えて、ピストン２２は、図１及び図４に示すように、その内側に弾性変形性能を増大させるための空間２２ａを有している。
【００３７】
なお、この空間２２ａのうち途中領域には、ピストン軸の先端部に設けられた環状凹部６１及び環状凸部６２に係合するための環状凸部７１及び環状凹部７２が設けられている。
【００３８】
このようなピストン２２により、最大前進時において、先端壁部１１に押し当てられた際に、単に弾性体からなるものに比して、傾斜する内側面により一層追従して弾性変形することが可能となっている（図５参照）。
【００３９】
すなわち、このようなピストン２２によれば、先端壁部１１に係る側壁と先端壁部１１とに包囲された液状化粧料収容部１４の先端領域に液状化粧料１０を残存させないことが可能となっており、その結果、使い残しが無い経済的な棒状化粧料繰出容器を提供することが可能となっている（図５参照）。
【００４０】
（３）クリック機構３
クリック機構３は、容器本体１及び移動体２の相対回転に同期してクリック感を付与するものであり、図６に示すような、移動体２の外部から外側に突出し、かつ、軸線方向に延びるように形成された第一のクリック歯部３１と、図７〜図９に示すような、内筒１ｂの側壁の内周から内側に突出して形成され、切り欠かれた隣接領域３２ａを設けることにより外側に撓むことを可能とされた第二のクリック歯部３２とを備えたものとして構成されている。
【００４１】
本実施の形態におけるクリック機構３は、容器本体１及び移動体２の相対回転を一方向に規制することにより移動体２の進退を前進又は後退にのみ規制するラチェット機構をも併せて有している。具体的には、クリック機構３は、容器本体１及び移動体２の相対回転を移動体２を容器本体１内にねじ込む方向にのみ規制するものとして構成されている。
【００４２】
このようなクリック機構により、製品の付加価値を相当に高めることが可能となっており、その結果、製品の携帯性や使い勝手を重視する消費者ニーズにさらに適切に対応することが可能となっている。
【００４３】
すなわち、第一のクリック歯部３１は、移動体２が容器本体１内にねじ込まれる方向（図１０（ａ）における図示矢印方向）に回動する場合に、第二のクリック歯部３２を徐々に押し出して外側に撓ませることが可能な横断面形状を有し（図１０（ａ）参照）、かつ、移動体２が容器本体１内にねじ込まれる方向と反対の方向（図１０（ｂ）における図示矢印方向）に回動する場合に、第二のクリック歯部３２を外側に撓ませることが不可能な横断面形状を有している（図１０（ｂ）参照）。
【００４４】
一方、第二のクリック歯部３２は、移動体２が容器本体１内にねじ込まれる方向（図１０（ａ）における図示矢印方向）に回動する場合に、第一のクリック歯部３１が登って乗り越えることが可能な傾斜面が形成された横断面形状を有し（図１０（ａ）参照）、かつ、移動体２が容器本体１内にねじ込まれる方向と反対の方向（図１０（ｂ）における図示矢印方向）に回動する場合に、第一のクリック歯部３１が登って乗り越えることが不可能な横断面形状を有している（図１０（ｂ）参照）。
【００４５】
ここで、第二のクリック歯部３２は、図８及び図９に示すように、側面視でコ字形状を呈するものとして構成されており、切り欠かれた隣接領域３２ａを設けることにより周方向に延びる舌片形状に形成されており、これにより、外側に撓むことを可能とされている。
【００４６】
このような第二のクリック歯部３２により、クリック機構３を別個独立の部品により設けるのではなく本移動体繰出容器本来の構成部品の部分として構成する場合において、第一のクリック歯部３１及び第二のクリック歯部３２の係合及び係合の解除の繰り返しを円滑に行うことが可能となっており、これにより、十分なクリック機能を確実に担保することが可能となっている。
【００４７】
なお、これに限られるものでなく、第一のクリック歯部３１及び第二のクリック歯部３２のいずれが弾性を有するかは問わず、図１１に示す変形例のような、切り欠かれた隣接領域８１ａを設けることにより内側に撓むことを可能とされた第一のクリック歯部８１を採用してもよい（同図において、符号８は、この変形例におけるクリック機構、を示している）。
【００４８】
そして、第二のクリック歯部３２の外側であって外筒１ａの内側には、第二のクリック歯部３２が外側に撓むことを可能とする空間３２ｂが確保されている。
【００４９】
すなわち、このようなクリック機構３により、第一のクリック歯部３１が、第二のクリック歯部３２に係合することによって容器本体１及び移動体２の相対回転を移動体２を容器本体１内にねじ込む方向にのみ規制することが可能となっている。
【００５０】
ここで、第一のクリック歯部３１は、移動体２が容器本体１のいずれの位置においても第二のクリック歯部３２に係合できるよう移動体２の軸線方向の一定区間に形成されている（図６参照）。
【００５１】
このように第一のクリック歯部３１に一定の長さ寸法を有することを要求するのは、クリック機構３を別個独立の部品により設けるのではなく本移動体繰出容器本来の構成部品の部分として構成する場合において、第一のクリック歯部３１及び第二のクリック歯部３２の係合状態が容器本体１における移動体２の位置に関係なく解除されないようにすることにより、より少ない部品数による簡易な構成からなり、しかもクリック機能を保持することが可能な移動体繰出容器とするためである。したがって、このような役割を果たすものであれば、本発明において複数の突条からなる第一のクリック歯部３１の代わりに、単数の突条からなるもの、第二のクリック歯部との係合状態が解除されない限度で間欠的に設けられるものその他の第一のクリック歯部を用いることが可能である。
【００５２】
上記したように、本実施の形態に係る移動体繰出容器にあっては、クリック機構３の構成要素の一方たる第一のクリック歯部３１が移動体２に形成されており、他方たる第二のクリック歯部３２であって外側に撓むことを可能とされたものが容器本体１の側壁に形成されており、しかも移動体２及び容器本体１の連結状態の如何に拘わらず第一のクリック歯部３１が第二のクリック歯部３２に係合する長さ寸法を有している。
【００５３】
したがって、このような移動体繰出容器によれば、使用者が移動体２の前進具合又は戻し具合を感知することを可能とするクリック機能を保持しながら、より少ない部品数により簡易な構成とすることが可能となっており、ひいては製品のコンパクト化及び試用見本、販売促進用見本、色調確認用見本等の普及を図ることが可能となっている。
【００５４】
よって、このような移動体繰出容器によれば、製品の携帯性や使い勝手を重視する消費者ニーズ及び製品の販売手法の専門化傾向に機動的に対応することが可能となっている。
【００５５】
また、本実施の形態のように、容器本体１を雌螺子１２を形成しない外筒１ａ及び雌螺子１２を形成し第二のクリック歯部３２を有する内筒１ｂで構成することとすれば、外筒１ａ内に収容された液状化粧料１０を移動体２の先端に設けたピストン２２によって押し出すタイプの液状化粧料押出容器に特に適切な態様とすることが可能となっている。
【００５６】
以上、本実施の形態においては、リップ、アイカラー、アイライナー、美容液、ネールケア溶液、マスカラ、頭髪用化粧料、マッサージオイルその他の液状化粧料を押し出すことを可能とする液状化粧料押出容器に適用した場合について説明したが、本発明は、このような実施の形態に限られるものではない。例えばアイシャドウその他の練り状物やゼリー状物等を含む固形化粧料を繰り出すことを可能とする棒状化粧料繰出容器に適用してもよい。また、化粧品に限定されず、のりやクレヨン、色鉛筆の芯等を繰り出すことを可能とする筆記具その他の物品に広く適用可能である。
【図面の簡単な説明】
【００５７】
【図１】本発明の一の実施の形態に係る移動体繰出容器の全体構成を示す縦断面図である。
【図２】同移動体繰出容器における容器本体（外筒）を示す縦断面図である。
【図３】同移動体繰出容器における容器本体（内筒）を示す縦断面図である。
【図４】同移動体繰出容器におけるピストン及びピストン軸を示す縦断面図である。
【図５】同移動体繰出容器の作用（最大繰出状態）を説明する縦断面図である。
【図６】同移動体繰出容器における第一のクリック歯部を示す斜視図である。
【図７】同移動体繰出容器における第二のクリック歯部を示す斜視図である。
【図８】同移動体繰出容器における第二のクリック歯部を示す側面図である。
【図９】同移動体繰出容器における第二のクリック歯部を示す側面拡大図である。
【図１０】同移動体繰出容器の作用を説明する横断面図である。
【図１１】変形例であるピストン軸における第一のクリック歯部を示す斜視図である。
【符号の説明】
【００５８】
１ 容器本体
１ａ 外筒
１ｂ 内筒
２ 移動体
３ クリック機構
８ クリック機構（変形例）
１０ 液状化粧料
１１ 先端壁部
１１ａ 吐出孔
１２ 雌螺子
１３ 移動体収容部
１４ 液状化粧料収容部
２１ ピストン軸
２１ａ 雄螺子
２１ｂ 操作部
２２ ピストン
２２ａ 空間
３１ 第一のクリック歯部
３２ 第二のクリック歯部
３２ａ 隣接領域
３２ｂ 空間
４１ 環状凹部
４２ 環状凸部
４３ 突条
５１ 環状凸部
５２ 環状凹部
５３ 溝
６１ 環状凹部
６２ 環状凸部
７１ 環状凸部
７２ 環状凹部
８１ 第一のクリック歯部（変形例）
８１ａ 隣接領域
【図１】
2006149946.tif 000003
【図２】
2006149946.tif 000004
【図３】
2006149946.tif 000005
【図４】
2006149946.tif 000006
【図５】
2006149946.tif 000007
【図６】
2006149946.tif 000008
【図７】
2006149946.tif 000009
【図８】
2006149946.tif 000010
【図９】
2006149946.tif 000011
【図１０】
2006149946.tif 000012
【図１１】
2006149946.tif 000013